【手続補正書】
【提出日】平成20年10月9日(2008.10.9)
【手続補正１】
【補正対象書類名】特許請求の範囲
【補正対象項目名】全文
【補正方法】変更
【補正の内容】
【特許請求の範囲】
【請求項１】
プッシュプルプラグにおいて、
プラグハウジングと、
前記プラグハウジングを取り囲む外側ハウジングと、
前記プラグハウジングに配置されたラッチを有するラッチアームとを備え、
前記プラグハウジングは、前記プラグハウジングの上面から上方に延びるプラグ後壁を有する、プッシュプルプラグ。
【請求項２】
請求項１に記載のプッシュプルプラグにおいて、前記外側ハウジングは複数の保持切欠きを有し、各保持切欠きは、保持溝を有している、プッシュプルプラグ。
【請求項３】
請求項１に記載のプッシュプルプラグにおいて、前記外側ハウジングは、前記プラグ後壁の頂部と係合して前記外側ハウジングをその位置に固定する外側ハウジングラッチを有する、プッシュプルプラグ。
【請求項４】
請求項１に記載のプッシュプルプラグにおいて、前記外側ハウジングは、前記プラグ後壁の側部と係合して前記外側ハウジングをその位置に固定するスライダラッチを有する、プッシュプルプラグ。
【請求項５】
請求項１に記載のプッシュプルプラグにおいて、前記外側ハウジングを前方に偏倚させ得るように、前記外側ハウジングの空所内に配置され、前記プラグハウジングのプラグ後壁と接触した複数のばねを更に備える、プッシュプルプラグ。
【請求項６】
請求項１に記載のプッシュプルプラグにおいて、前記ラッチアームは、前記プラグハウジングと一体であり、前記ラッチアームは、可撓性の部材により前記プラグハウジングの上面にヒンジ止めで取り付けられる、プッシュプルプラグ。
【請求項７】
請求項６に記載のプッシュプルプラグにおいて、前記ラッチアームは、前記プラグハウジングの上面から弾性的に偏倚されて離れる、プッシュプルプラグ。
【請求項８】
請求項１に記載のプッシュプルプラグにおいて、少なくとも１つのカム従動子が前記ラッチアームから横方向に伸びており、前記カム従動子は、プラグを挿入し且つ除去する間、前記外側ハウジングにおける少なくとも１つのカム面と相互作用する、プッシュプルプラグ。
【請求項９】
請求項１に記載のプッシュプルプラグにおいて、前記外側ハウジングと前記ラッチアームとの間の相互作用は、プラグを除去する間、前記ラッチを非噛み合い位置まで動かす、プッシュプルプラグ。
【請求項１０】
請求項１に記載のプッシュプルプラグにおいて、前記外側ハウジングは、手操作によるプラグの挿入及び除去を容易にするために前記外側ハウジングの角から延びる指握り部を有する、プッシュプルプラグ。
【請求項１１】
請求項１に記載のプッシュプルプラグにおいて、前記ラッチアームは、前部ラッチアーム支持体を介して前記プラグハウジングの前端縁と接続される、プッシュプルプラグ。
【請求項１２】
請求項１に記載のプッシュプルプラグにおいて、ブートアダプタによって前記プラグハウジングの一端に取り付けられたブートを更に備え、前記ブートとブートアダプタは、前記プラグハウジングから取り外し得る、プッシュプルプラグ。
【請求項１３】
プッシュプルプラグをジャックから除去する方法において、
外側ハウジングとプラグハウジングとを有するプラグであって、前記外側ハウジングはカム面と、対向した保持切欠きとを有し、前記プラグハウジングはラッチアームを有し、前記ラッチアームはカム従動子を有する前記プラグを提供するステップと、
前記外側ハウジングを後方位置まで引き戻し、これにより前記カム面が後方に押され且つ前記カム従動子が下方に押されるようにするステップとを備え、
前記カム従動子の下方への動きにより前記ラッチアームが非噛み合い位置に到達し、ラッチがジャックの噛み合い突起と非係合状態となるまで、前記ラッチアームが下方に動くようにし、
前記外側ハウジングは、工具の使用により後方に引き戻されることができ、前記工具は、ハンドルと、幹部と、クリップとを有し、前記クリップは、２つのクリップリッジを有している、プッシュプルプラグをジャックから除去する方法。
【請求項１４】
請求項１３に記載の方法において、プラグをジャックから除去した後、ばねが前記外側ハウジングを前方に押し、前記ラッチアームは噛み合った位置に戻る、方法。
【請求項１５】
請求項１３に記載の方法において、前記工具は、一方のクリップリッジにより前記外側ハウジングにおける１つの保持切欠きと係合し、次に、軸方向に回転して他方のクリップリッジにて対向する保持切欠きと係合するようにした、方法。
【請求項１６】
請求項２に記載のプッシュプルプラグにおいて、前記保持切欠きは、内側に向けて形成され、前記保持切欠きと保持溝は、前記外側ハウジングと一体である、プッシュプルプラグ。
【請求項１７】
請求項１に記載のプッシュプルプラグにおいて、前記プラグ後壁は、前記ラッチよりも上方まで延びている、プッシュプルプラグ。
【請求項１８】
請求項１に記載のプッシュプルプラグにおいて、前記ラッチアームは、前記プラグ後壁と一体である、プッシュプルプラグ。
【請求項１９】
請求項１２に記載のプッシュプルプラグにおいて、前記ブート及びブートアダプタは、互いに分離可能である、プッシュプルプラグ。
【請求項２０】
請求項１０に記載のプッシュプルプラグにおいて、前記外側ハウジングは、略正方形の断面を有し、前記指握り部は、前記略正方形の断面の角から延びている、プッシュプルプラグ。
【請求項２１】
請求項１１に記載のプッシュプルプラグにおいて、前記ラッチアームは、前記プラグハウジングと一体であり、前記ラッチアームは、前記プラグハウジングの上面に可撓性部材により取り付けられており、前記前部ラッチアーム支持体は、前記ラッチアームの前記可撓性部材と反対側の端部に配置されている、プッシュプルプラグ。
【請求項２２】
請求項２１に記載のプッシュプルプラグにおいて、前記ラッチアームが噛み合い位置にあるとき、前記ラッチアームは、前記プラグハウジングの上面からの距離が増大する一方で、前記可撓性部材からの距離が増大し、前記前部ラッチアーム支持体は、前記プラグハウジングの上面からの距離が増大する一方で、前記可撓性部材からの距離が減少する、プッシュプルプラグ。
【請求項２３】
請求項１に記載のプッシュプルプラグにおいて、前記ラッチアームが非噛み合い位置にあるとき、前記プラグハウジングの上面に対向した前記ラッチアームの下面全体は、前記プラグハウジングの上面と接触している、プッシュプルプラグ。
【請求項２４】
請求項７に記載のプッシュプルプラグにおいて、前記ラッチアームは、多角形の断面を有し、前記可撓性部材は、前記多角形の断面を切り欠いて形成されている、プッシュプルプラグ。
【請求項２５】
プッシュプルプラグにおいて、
プラグハウジングと、
前記プラグハウジングを取り囲む外側ハウジングと、
前記プラグハウジングに配置されたラッチを有するラッチアームとを備え、
前記外側ハウジングは、複数の保持切欠きを備え、
各保持切欠きは、内側に向けて形成され、保持溝を有し、
前記保持切欠きと保持溝は、前記外側ハウジングと一体である、プッシュプルプラグ。
【請求項２６】
請求項２５に記載のプッシュプルプラグにおいて、
前記プラグハウジングは、前記プラグハウジングの上面から上方に延びるプラグ後壁を有し、
前記外側ハウジングは、前記プラグ後壁の頂部と係合する外側ハウジングラッチと前記プラグ後壁の側部と係合するスライダラッチの少なくとも一方を有する、プッシュプルプラグ。
【請求項２７】
請求項２５に記載のプッシュプルプラグにおいて、
前記プラグハウジングは、前記プラグハウジングの上面から上方に延びるプラグ後壁を有し、
前記ラッチアームは、前記プラグハウジングと一体であり、前記プラグハウジングの上面に可撓性部材により取り付けられている、プッシュプルプラグ。
【請求項２８】
請求項２５に記載のプッシュプルプラグにおいて、
前記プラグハウジングは、前記プラグハウジングの上面から上方に延びるプラグ後壁を有し、
前記ラッチアームは、前記プラグ後壁と一体である、プッシュプルプラグ。
【請求項２９】
請求項２５に記載のプッシュプルプラグにおいて、少なくとも１つのカム従動子が前記ラッチアームから横方向に伸びており、前記カム従動子は、プラグを挿入し且つ除去する間、前記外側ハウジングにおける少なくとも１つのカム面と相互作用する、プッシュプルプラグ。
【請求項３０】
請求項２５のプッシュプルプラグにおいて、前記外側ハウジングは、前記外側ハウジングの略正方形の断面の角から延びる指握り部を有する、プッシュプルプラグ。
【請求項３１】
請求項２５のプッシュプルプラグにおいて、前記ラッチアームは、前部ラッチアーム支持体を介して前記プラグハウジングの前端縁と接続される、プッシュプルプラグ。
【請求項３２】
請求項３１のプッシュプルプラグにおいて、
前記ラッチアームは、前記プラグハウジングと一体であり、
前記ラッチアームは、前記プラグハウジングの上面に可撓性部材により取り付けられており、
前記前部ラッチアーム支持体は、前記ラッチアームの前記可撓性部材と反対側の端部に配置されている、プッシュプルプラグ。
【請求項３３】
請求項３２のプッシュプルプラグにおいて、前記ラッチアームが噛み合い位置にあるとき、前記ラッチアームは、前記プラグハウジングの上面からの距離が増大する一方で、前記可撓性部材からの距離が増大し、前記前部ラッチアーム支持体は、前記プラグハウジングの上面からの距離が増大する一方で、前記可撓性部材からの距離が減少する、プッシュプルプラグ。
【請求項３４】
請求項２８のプッシュプルプラグにおいて、ブートアダプタによって前記プラグハウジングの一端に取り付けられたブートを更に備え、前記ブートとブートアダプタは、前記プラグハウジングから取り外し得る、プッシュプルプラグ。
【請求項３５】
請求項３４のプッシュプルプラグにおいて、前記ブート及びブートアダプタは、互いに分離可能である、プッシュプルプラグ。
【手続補正２】
【補正対象書類名】図面
【補正対象項目名】図２８
【補正方法】変更
【補正の内容】
【図２８】
2008518402.tif 000001